(57)【要約】【課題】本発明が解決しようとする課題は、すべての商品に無線タグを貼付しなくても商品特定情報を取得することが可能な商品情報読取装置を提供することである。【解決手段】実施形態の商品情報読取装置は、読取対象の商品を載置する第１載置部と、前記第１載置部の上方に位置し、信号を送受信するアンテナを備え、前記第１載置部から前記第１載置部の上方に設けられた所定の受信可能領域内に移動した商品に付された無線タグから、前記アンテナから送信された信号に応答した前記商品を特定する第１商品特定情報を受信する無線タグ受信部と、を備える。【選択図】図５
2019109613.tif 000002
【特許請求の範囲】
【請求項１】
読取対象の商品を載置する第１載置部と、
前記第１載置部の上方に位置し、信号を送受信するアンテナを備え、前記第１載置部から前記第１載置部の上方に設けられた所定の受信可能領域内に移動した商品に付された無線タグから、前記アンテナから送信された信号に応答した前記商品を特定する第１商品特定情報を受信する無線タグ受信部と、
を備えた商品情報読取装置。
【請求項２】
前記無線タグ受信部の近傍に設けられ、前記第１載置部から前記第１載置部の上方に設けられた所定の読取可能領域内に移動した商品に付された商品を特定する第２商品特定情報を読み取るコード読取部、を更に備え、
前記受信可能領域と前記読取可能領域は、その一部または全部がオーバーラップしている、
請求項１に記載の商品情報読取装置。
【請求項３】
前記無線タグ受信部を挟んだ前記第１載置部と反対側に、受信可能領域を通過した商品を載置する第２載置部、をさらに備えた、
請求項２に記載の商品情報読取装置。
【請求項４】
同一の商品について前記無線タグ受信部が第１商品特定情報を受信しかつ前記コード読取部が第２商品特定情報を読み取った場合に、前記第１商品特定情報に基づいて当該商品の売上登録処理を実行する無線タグ売上登録処理部、を更に備えた、
請求項２または３に記載の商品情報読取装置。
【請求項５】
前記無線タグ受信部は、前記コード読取部に対して前記第２商品特定情報を読み取る操作をした商品に付された前記無線タグから、前記第１商品特定情報を受信する、
請求項２乃至４のいずれか一に記載の商品情報読取装置。
【発明の詳細な説明】
【技術分野】
【０００１】
本発明の実施形態は、商品情報読取装置に関する。
【背景技術】
【０００２】
従来、商品に商品特定情報を記憶した無線タグを付し、商品情報読取装置から送信された信号に応答した無縁タグから受信した無線タグ情報に基づいて、当該商品を販売するための売上登録処理を実行する商品情報読取装置が存在する。このような商品情報読取装置は、一か所に載置された複数の商品にそれぞれ付された無線タグに対して読取信号を送信し、応答した無線タグの無線タグ情報を、一括して受信する。
【０００３】
しかしながら、載置された商品に、例えば金属のような電波を通過させない素材の容器の商品（以降「不通過商品」という）があると、当該不通過商品によって、商品情報読取装置から送信された信号や、応答した無縁タグから送信された無線タグ情報が遮断される恐れがある。そして、信号や情報が遮断されると、商品情報読取装置は、載置されたすべての商品の無線タグ情報を受信することができないことがある。そのため、操作者は、商品情報読取装置が受信した無線タグ情報の数と載置された販売する商品の数とが一致しているかを確認する作業が必要であった。
【発明の概要】
【発明が解決しようとする課題】
【０００４】
本発明が解決しようとする課題は、商品に付された無線タグから確実に無線タグ情報を受信することが可能な商品情報読取装置を提供することである。
【課題を解決するための手段】
【０００５】
実施形態の商品情報読取装置は、読取対象の商品を載置する第１載置部と、前記第１載置部の上方に位置し、信号を送受信するアンテナを備え、前記第１載置部から前記第１載置部の上方に設けられた所定の受信可能領域内に移動した商品に付された無線タグから、前記アンテナから送信された信号に応答した前記商品を特定する第１商品特定情報を受信する無線タグ受信部と、を備える。
【図面の簡単な説明】
【０００６】
【図１】図１は、実施形態に係るセルフＰＯＳ端末の外観を示す斜視図である。
【図２】図２は、セルフＰＯＳ端末のハードウェア構成を示すブロック図である。
【図３】図３は、セルフＰＯＳ端末の商品マスタの一部を示すメモリマップである。
【図４】図４は、セルフＰＯＳ端末の機能構成を示す機能ブロック図である。
【図５】図５は、セルフＰＯＳ端末における制御処理を示すフローチャートである。
【発明を実施するための形態】
【０００７】
以下、図１〜図５の添付図面を参照して、実施形態に係る商品情報読取装置について説明する。実施形態では、顧客が登録操作および会計操作を実行するセルフＰＯＳ（Point  of  Sales）端末を商品情報読取装置として説明する。なお、以下に説明する実施形態によりこの発明が限定されるものではない。
【０００８】
図１は、セルフＰＯＳ端末１の外観を示す斜視図である。セルフＰＯＳ端末１は、購入する商品を特定する商品コード（第２商品特定情報）を読み取らせる登録部と、読み取らせた商品コードに対応した商品情報に基づいて会計操作を行う会計部とを備えている。登録部における登録操作と会計部における会計操作は、いずれも顧客自身が行う。商品コードとは、商品を特定するためのコード情報である。セルフＰＯＳ端末１は、顧客が行った登録操作に基づいて売上登録処理を実行する。また、セルフＰＯＳ端末１は、顧客が行った会計操作に基づいて会計処理を実行する。
【０００９】
ここで、売上登録処理とは、入力された商品コードに基づいて当該商品の商品名や価格等の商品情報を表示し記憶する処理をいう。また、会計処理とは、売上登録処理をした商品情報に基づいて、取引に係る合計金額の表示、および顧客から預かった預り金に基づいて会計しレシートを発行する処理をいう。また、取引処理は売上登録処理と会計処理とを含む。また、取引情報は、商品情報と会計情報とを含む。
【００１０】
図１に示すように、セルフＰＯＳ端末１は、第１筐体４１と第２筐体４２とを備えている。第１筐体４１は、内部に硬貨釣銭機や紙幣釣銭機（総称して「釣銭機２７」という）等を収納している。釣銭機２７は、顧客から預かった硬貨や紙幣を金種別に収納する。また釣銭機２７は、顧客に対して釣銭を払い出す。
【００１１】
また、第１筐体４１は開放及び閉止可能な第１扉４１１と、第２扉４１２を備える。第１扉４１１は、ヒンジ部４１１ａを中心に上下方向に回動する。第２扉４１２は、ヒンジ部４１２ａを中心に左右方向に回動する。第２扉４１２は、第１扉４１１に干渉されており、第２扉４１２を開放するにはまず、第１扉４１１を上方向に開放する必要がある。第１扉４１１および第２扉４１２がともに閉止状態である場合、第２扉４１２だけを開放することはできない。
【００１２】
第１扉４１１が上方に回動することで第１筐体４１の内部上側が開放され、釣銭機２７が露出する。また、第２扉４１２が右方向に回動することで第１筐体４１の内部下側が開放され、図示しない制御装置が露出する。
【００１３】
また、第１扉４１１は、入金孔２７１と排出孔２７３と受皿２７２を備えている。入金孔２７１は、第１扉４１１の上面に位置しており、釣銭機２７に入金するための硬貨の投入口としての孔である。排出孔２７３は、釣銭機２７から硬貨を払い出す払出口を開放する孔である。受皿２７２は、釣銭機２７から払い出された釣銭の硬貨を受ける皿である。
【００１４】
また、第１扉４１１は、入金孔２７４と出金孔２７５を備える。入金孔２７４は、釣銭機２７に入金するための紙幣の投入口としての孔である。出金孔２７５は、釣銭機２７から払い出された紙幣の釣銭を上向きに払い出す払出口としての孔である。
【００１５】
第２筐体４２は、第１筐体４１の上部に設けられている。第２筐体４２は、内部に、コード読取部２３と印字部２４とカード部２８と無線タグ受信部３０を収納する。コード読取部２３は、コード読取部２３の前方の読取可能領域に位置する商品に付されたシンボル（例えば、バーコードや二次元コード）を読み取る。または、コード読取部２３は、コード読取部２３の前方の空間である読取可能領域を通過する商品に付されたシンボルを光学的に読み取る。この読取可能領域は、後述する載置台２５および載置台２６の上方に位置する。コード読取部２３は、読み取ったシンボルに基づいて商品を特定する商品コードを取得する。なお、以降、シンボルを読み取り、読み取ったシンボルに基づいて商品コードを取得する処理を、簡略化して「商品コードを読み取る」と記載する。読取可能領域は、コード読取部２３の前方（図１における手前側）の所定範囲（例えば３０ｃｍ）の空間をいう。
【００１６】
無線タグ受信部３０は、信号を送受信する平面状のアンテナを備える。無線タグ受信部３０は、商品に貼付された、商品コードを含む無線タグ情報（第１商品特定情報）をアンテナで受信する。無線タグ受信部３０は、アンテナから、無線タグに向けて信号を放射状に送信する。この信号は微弱な電波であるため、無線タグ受信部３０から送信された信号は、無線タグ受信部３０のアンテナの前方であって、無線タグ受信部３０から所定範囲（例えば３０ｃｍ）以内の所定の受信可能領域に位置する無線タグのみが受信可能である。この受信可能領域は、後述する載置台２５および載置台２６の上方に位置する。または、無線タグ受信部３０から送信された信号は、無線タグ受信部３０から所定範囲以内の受信可能領域内を通過する無線タグのみが受信可能である。信号を受信した無線タグは、無線タグ情報を無線タグ受信部３０に送信する。無線タグ情報は、当該固有の商品を特定する当該商品の個体番号（同じ商品コードの商品でも個体が異なると個体番号は異なる）と、当該商品を特定する商品コードを含む。すなわち、無線タグ情報は、商品を特定する情報である。無線タグ受信部３０は、無線タグから送信された無線タグ情報を受信する。
【００１７】
なお、コード読取部２３がシンボルを読み取り可能な読取可能領域と、無線タグが無線タグ受信部３０から送信された信号を受信可能な受信可能領域とは、その一部または全部がオーバーラップしている。すなわち、オーバーラップしている領域では、コード読取部２３がシンボルを読み取り可能であり、かつ無線タグ受信部３０が無線タグ情報を受信可能である。
【００１８】
印字部２４は、顧客が購入した商品の商品情報や会計情報を印字してレシートを発行する。カード部２８は、例えば挿入されたクレジットカードから顧客特定情報を読み出す。セルフＰＯＳ端末１は、カード部２８によって読み出された顧客特定情報に基づいて会計処理を実行する。
【００１９】
また、第２筐体４２は、上部に、表示部２２を備えている。表示部２２は、顧客による登録操作に伴う商品の商品情報を表示する。また、表示部２２は、顧客による会計操作に伴ってセルフＰＯＳ端末１が会計処理した会計情報を表示する。また、表示部２２は、顧客に対し、顧客が適切に登録操作や会計操作を行うためのガイダンスを表示する。また、表示部２２は、誤操作したときの解除方法やアテンダントの呼出方法を表示する。
【００２０】
表示部２２は、表面にタッチパネル２１を備えている。タッチパネル２１はキーの役目を果たす。表示部２２上に表示された各種キーに対応する位置のタッチパネル２１を操作することで、当該キーが操作される。
【００２１】
また、第２筐体４２は、後方に、上部に延出する円柱状のポール４６を備えている。ポール４６の上方先端部には、顧客がアテンダントを呼び出す操作をしたときに発光する発光部２９を備えている。
【００２２】
また、第１筐体４１は、側面左右に載置台２５（第１載置部）と載置台２６（第２載置部）を備えている。載置台２５は第１計量部２５１を有している。載置台２６は第２計量部２６１を有している。
【００２３】
載置台２５は、購入するための商品が投入されたカゴまたは商品を載置する台である。第１計量部２５１は、商品が入ったカゴを載置台２５に載置した場合には、載置されたカゴとカゴ内の商品の合計重量を計量する。また、第１計量部２５１は、載置台２５に商品を直接載置した場合には、載置された商品の合計重量を計量する。載置台２６は、載置台２５から取り出した商品を載置する台である。第２計量部２６１は、載置台２６に載置された商品の合計重量を計量する。
【００２４】
また、載置台２６は、載置台２６の上面から上方に延出する２本の支柱４７と支柱４７の上部に形成された一時置台４４と２本の延出棒４５を備える。延出棒４５は、コード読取部２３で商品コードを読み取らせた商品を投入するビニール状の袋（図示せず）を引っ掛ける棒である。袋は延出棒４５に取っ手を引っ掛けられた状態で開口し、商品を投入し易くする。また、一時置台４４は、コード読取部２３で商品コードを読み取らせた商品のうち、形が壊れやすい商品（豆腐や卵）を一時的に載置する台である。一時置台４４に載置された商品は最後に袋に投入する。
【００２５】
商品にはシンボルが付されている。また、商品には、無線タグが貼付されている。なお、無線タグはシンボルの近傍に貼付されていることが望ましい。無線タグがシンボルの近傍に貼付されるとは、例えば、顧客である操作者が、商品に付されたシンボルをコード読取部２３の読取窓（図示せず）に向けて、シンボルの読取動作を行った際に、商品に貼付された無線タグが無線タグ受信部３０の方向を向く位置に貼付されることをいう。実施形態では、コード読取部２３および無線タグ受信部３０がともに前面４２１側に設けられているため、商品に付されたシンボルをコード読取部２３に読み取らせるために前面４２１に向けた場合に、無線タグ受信部３０も前面４２１に向くように貼付されることを、無線タグはシンボルの近傍に貼付されているという。なお、無線タグがシンボルの近傍に貼付されていることは、必須ではなく、操作者が、載置台２５に載置されている商品を取り出してシンボルをコード読取部２３に読み取らせる一連の動作を行った際に、あるいは、コード読取部２３が読取可能領域にある商品のシンボルを読み取った際に、受信可能領域に位置する無線タグ情報を無線タグ受信部３０が受信できれば、無線タグはシンボルの近傍に貼付されている。
【００２６】
顧客は、載置台２５に載置された商品を取り出して、後述するコード読取部２３の前方の読取可能領域内、および無線タグ受信部３０付近の受信可能領域内を通過させる。そして顧客は、当該商品を載置台２６にセットされた袋内に投入する。第１計量部２５１が、載置台２５に載置されたカゴから商品が取り出された際に減った重量（すなわち、取り出された商品の重量）を計量する。第２計量部２６１は、載置台２６に商品が投入された際に増えた重量（すなわち、投入された商品の重量）を計量する。この両重量変化が等しいか否かで、後述する制御部１００は、顧客が正しく操作をしているかを判断する。
【００２７】
ここからは、セルフＰＯＳ端末１のハードウェア構成について説明する。図２は、セルフＰＯＳ端末１のハードウェア構成を示すブロック図である。図２に示すように、セルフＰＯＳ端末１は、ＣＰＵ（Central  Processing  Unit）１１、ＲＯＭ（Read  Only  Memory）１２、ＲＡＭ（Random  Access  Memory）１３、メモリ部１４等を備えている。ＣＰＵ１１は、制御主体となる。ＲＯＭ１２は、各種プログラムを記憶する。ＲＡＭ１３は、各種データを展開する。メモリ部１４は、各種プログラムを記憶する。ＣＰＵ１１、ＲＯＭ１２、ＲＡＭ１３、メモリ部１４は、互いにデータバス１５を介して接続されている。ＣＰＵ１１とＲＯＭ１２とＲＡＭ１３が、制御部１００を構成する。すなわち、制御部１００は、ＣＰＵ１１がＲＯＭ１２やメモリ部１４に記憶されＲＡＭ１３に展開された制御プログラムに従って動作することによって、後述する制御処理を実行する。
【００２８】
ＲＡＭ１３は、商品情報部１３１を有する。商品情報部１３１は、売上登録処理された商品の商品情報を記憶する。メモリ部１４は、電源を切っても記憶情報が保持されるＨＤＤ（Hard  Disc  Drive）やフラッシュメモリ等の不揮発性メモリで構成され、制御プログラムを記憶する制御プログラム部１４１を備えている。また、メモリ部１４は、商品マスタ１４２を備えている。商品マスタ１４２は、図３で後述する。
【００２９】
また、制御部１００は、データバス１５およびコントローラ１６を介して、タッチパネル２１、表示部２２、コード読取部２３、印字部２４、第１計量部２５１、第２計量部２６１、釣銭機２７、カード部２８、発光部２９、無線タグ受信部３０と接続している。
【００３０】
また、制御部１００は、データバス１５を介して通信部４３と接続する。通信部４３は、通信回線ＮＴ１を介して他のセルフＰＯＳ端末１やアテンダントＰＣや、上位サーバ（いずれも図示せず）と情報の送受信を行う。
【００３１】
図３は、商品マスタ１４２（記憶部）の一部を示すメモリマップである。商品マスタ１４２は、商品に関する種々の情報を記憶する。図３に示すように、商品マスタ１４２は、商品コード部１４２１、商品名部１４２２、単価部１４２３を備える。
【００３２】
商品コード部１４２１は、商品を特定する商品コードを記憶する。商品名部１４２２は、商品コードで特定された商品の商品名を、商品コードに対応付けて記憶する。単価部１４２３は、商品コードで特定された商品の単価を、商品コードに対応付けて記憶する。
【００３３】
ここからは、セルフＰＯＳ端末１の機能構成について説明する。図４は、セルフＰＯＳ端末１の機能構成を示す機能ブロック図である。図４に示すように、制御部１００は、ＲＯＭ１２やメモリ部１４の制御プログラム部１４１に記憶された制御プログラムに従うことで、コード読取判断部１０１、無線タグ受信判断部１０２、優先判断部１０３、コード売上登録処理部１０４、無線タグ売上登録処理部１０５として機能する。
【００３４】
コード読取判断部１０１は、コード読取部２３が商品コードを読み取ったか否かを判断する。
【００３５】
無線タグ受信判断部１０２は、無線タグ受信部３０が無線タグ情報を受信したか否かを判断する。
【００３６】
優先判断部１０３は、同一の商品について無線タグ受信部３０が無線タグ情報を受信し、かつコード読取部２３が商品コードを読み取ったか否かを判断する。一般的に、商品が通過した際に、無線タグ受信部３０が無線タグ情報を受信することが、コード読取部２３が商品コードを読み取ることより早いため、コード読取部２３が商品コードを読み取った時点で、無線タグ受信部３０が無線タグ情報を受信していれば、同一の商品について無線タグ受信部３０が無線タグ情報を受信し、かつコード読取部２３が商品コードを読み取ったと判断する。
【００３７】
コード売上登録処理部１０４は、優先判断部１０３が、コード読取判断部１０１が商品コードを読み取ったと判断し、無線タグ受信判断部１０２は無線タグ情報を受信していないと判断した場合に、コード読取部２３が読み取った商品コードに基づいて、売上登録処理を実行する。すなわち、コード売上登録処理部１０４は、コード読取部２３が読み取った商品コードに基づいて、当該商品コードに対応付けられた商品名と単価を商品マスタ１４２から読み出して、商品情報部１３１に記憶する。
【００３８】
無線タグ売上登録処理部１０５は、無線タグ受信部３０が無線タグ情報を受信したと判断した場合に、無線タグ受信部３０が受信した無線タグ情報に含まれる商品コードに基づいて、売上登録処理を実行する。すなわち、無線タグ売上登録処理部１０５は、無線タグ受信部３０が受信した無線タグ情報に含まれる商品コードに基づいて、当該商品コードに対応付けられた商品名と単価を商品マスタ１４２から読み出して、商品情報部１３１に記憶する。また、無線タグ売上登録処理部１０５は、優先判断部１０３が、コード読取判断部１０１が商品コードを読み取ったと判断し、かつ無線タグ受信判断部１０２が無線タグ情報を受信したと判断した場合に、無線タグ受信部３０が受信した無線タグ情報に含まれる商品コードに基づいて、売上登録処理を実行する。
【００３９】
ここからは、セルフＰＯＳ端末１の制御処理について説明する。図５は、セルフＰＯＳ端末１における制御処理を示すフローチャートである。
【００４０】
コード読取判断部１０１は、コード読取部２３が商品コードを読み取ったか否かを判断する（Ｓ１１）。また、コード読取判断部１０１が、コード読取部２３が商品コードを読み取っていないと判断した場合には（Ｓ１１のＮｏ）、無線タグ受信判断部１０２は、無線タグ受信部３０が無線タグ情報を受信したか否かを判断する（Ｓ１４）。
【００４１】
優先判断部１０３は、コード読取判断部１０１が商品コードを読み取ったと判断した場合には（Ｓ１１のＹｅｓ）、無線タグ受信判断部１０２が、同一の商品について無線タグ情報を受信したか否かを判断する（Ｓ１２）。優先判断部１０３が、無線タグ受信判断部１０２が同一の商品について無線タグ情報を受信していないと判断した場合には（Ｓ１２のＮｏ）、コード売上登録処理部１０４は、コード読取部２３が読み取った商品コードに基づいて、売上登録処理を実行する（Ｓ１３）。そして制御部１００は、処理を終了する。
【００４２】
一方、優先判断部１０３が、無線タグ受信判断部１０２が同一の商品について無線タグ情報を受信したと判断した場合には（Ｓ１２のＹｅｓ）、無線タグ売上登録処理部１０５は、無線タグ受信部３０が受信した無線タグ情報に含まれる商品コードに基づいて、売上登録処理を実行する（Ｓ１５）。そして制御部１００は、処理を終了する。
【００４３】
また、無線タグ受信判断部１０２が、無線タグ受信部３０が無線タグ情報を受信したと判断した場合には（Ｓ１４のＹｅｓ）、無線タグ売上登録処理部１０５は、無線タグ受信部３０が受信した無線タグ情報に含まれる商品コードに基づいて、売上登録処理を実行する（Ｓ１５）。すなわち、制御部１００は、何らかの理由で商品コードを読み取らない商品については、無線タグ受信部３０が受信した無線タグ情報に含まれる商品コードに基づいて、売上登録処理を実行する（Ｓ１５）。そして制御部１００は、処理を終了する。
【００４４】
また、無線タグ受信判断部１０２が、無線タグ受信部３０が無線タグ情報を受信していないと判断した場合には（Ｓ１４のＮｏ）、制御部１００は、タッチパネル２１に設けられた終了ボタン（図示せず）が操作されたか否かを判断する（Ｓ２１）。制御部１００が、終了ボタンが操作されたと判断した場合には（Ｓ２１のＹｅｓ）、制御部１００は、商品情報部１３１に記憶された商品情報に基づいて、会計処理を実行する（Ｓ２２）。そして制御部１００は、処理を終了する。また、制御部１００が、終了ボタンが操作されていないと判断した場合には（Ｓ２１のＮｏ）、制御部１００は、Ｓ１１に戻る。
【００４５】
このような実施形態のセルフＰＯＳ端末１によれば、操作者が載置台２５に載置されている商品を持ち上げて、シンボルを探してコード読取部２３に向けて、コード読取部２３の前方を通過させる動作を行うと、無線タグ受信部３０は、受信可能領域内を通過した商品に貼付された無線タグから無線タグ情報を受信する。そのため、操作者が商品に付されているシンボルをコード読取部２３に向けて読み取らせる操作を行うと、商品に貼付されている無線タグから当該商品に係る無線タグ情報を受信することができる。
【００４６】
また、実施形態のセルフＰＯＳ端末１によれば、読取可能領域と受信可能領域の一部または全部をオーバーラップさせるようにしたため、操作者が、オーバーラップした領域において商品に付されたシンボルを読み取らせる操作を行うと、同時に商品に付されている無線タグから当該商品に係る無線タグ情報を受信することができる。
【００４７】
また、実施形態のセルフＰＯＳ端末１によれば、同一商品についてコード読取部２３が商品コードを読み取り、かつ無線タグ受信部３０が無線タグ情報を受信した場合には、無線タグ受信部３０が受信した無線タグ情報に基づいて売上登録処理を実行する。そのため、無線タグ情報に含まれる個体番号に基づいて、個々の固有商品の管理を実行することができる。
【００４８】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００４９】
例えば、実施形態では、セルフＰＯＳ端末１を商品情報読取装置の一例として説明した。しかしながら、これに限らず、例えば、店員が操作する商品情報登録装置と顧客が操作する会計装置とを備えたセミセルフＰＯＳの商品情報登録装置を商品情報読取装置としてもよい。また、店員が売上登録操作と会計操作を行う商品販売データ処理装置を、商品情報読取装置としてもよい。
【００５０】
また、実施形態では、コード読取部２３は、シンボルを光学的に読み取って商品コードを取得するようにした。しかしながら、これに限らず、コード読取部２３は、シンボルを撮像して、撮像したシンボルに基づいて商品コードを取得するようにしてもよい。
【００５１】
また、実施形態では、商品コードを第２商品特定情報の一例として説明した。しかしながら、これに限らず、第２商品特定情報は商品を特定する情報であれば、コード以外の情報であってもよい。
【００５２】
また、実施形態では、商品コードを読み取るコード読取部２３と無線タグ情報を受信する無線タグ受信部３０を備えた。しかしながら、これに限らず、コード読取部２３は必須の構成ではない。要は、操作者がシンボルを翳す動作をした場合に、無線タグ受信部３０が無線タグ情報を受信すればいい。
【００５３】
なお、実施形態のセルフＰＯＳ端末１で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disc）等のコンピュータで読み取り可能な記録媒体に記録されて提供される。
【００５４】
また、実施形態のセルフＰＯＳ端末１で実行されるプログラムを、インターネット等のネットワークに接続されたコンピュータ上に格納し、ネットワーク経由でダウンロードさせることにより提供するように構成してもよい。また、実施形態のセルフＰＯＳ端末１で実行されるプログラムをインターネット等のネットワーク経由で提供または配布するように構成してもよい。
【００５５】
また、実施形態のセルフＰＯＳ端末１で実行されるプログラムを、ＲＯＭ等に予め組み込んで提供するように構成してもよい。
【符号の説明】
【００５６】
１          セルフＰＯＳ端末
２２        表示部
２３        コード読取部
３０        無線タグ受信部
１００      制御部
１０１      コード読取判断部
１０２      無線タグ受信判断部
１０３      優先判断部
１０４      コード売上登録処理部
１０５      無線タグ売上登録処理部
１４２      商品マスタ
【先行技術文献】
【特許文献】
【００５７】
【特許文献１】国際公開２００７／０２９３２１号
【図１】
2019109613.tif 000003
【図２】
2019109613.tif 000004
【図３】
2019109613.tif 000005
【図４】
2019109613.tif 000006
【図５】
2019109613.tif 000007